Podtech/llm-jp-corpus-v4-ja_patent huggingface dataset:
【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
それを中心として切削インサートが１８０°の回転対称である中心軸、上面、底面、上面と底面との間に延在する周囲側面であって、一対の副側面に接続する一対の対向する主側面を含んでいる周囲側面、及び中心軸に沿って延在し、上面及び底面を接続するインサート貫通孔を有するインサート本体、
第１及び第２の主切削刃間に延在する凸状輪郭を有する上面と主側面との交差部に形成される第１及び第２の主切削刃、
主側面の一方の側面と隣接する副側面との接合部に沿って形成される第１及び第２の副切削刃、
を備え、
底面は、ベース面と、切削インサートの底面からみて、ベース面の上に起立するインサート突出部上に形成されるインサート突出部当接面とを備え、
インサート突出部は、底面の中心部分に形成され、ベース面に少なくとも部分的に取り囲まれ、
インサート凹部は、中心軸に沿ってインサート突出部に形成され、インサート貫通孔に連通し、インサート凹部は、インサート貫通孔の最小直径より大きい最大幅寸法を有していることを特徴とする交換可能な接線切削インサート。
【請求項２】
主切削刃と関連する主すくい面が各主側面に形成され、
上面は、逃げ面を形成し、
切削インサートの主側面から見て、第１の主切削刃は、第１の高い位置にある内側端部から第１の低い位置にある外側端部まで傾斜し、
切削インサートの上面から見て、前記第１の主切削刃は、副側面を通り抜けるインサートの長手方向の軸に対して外側に向かう角度で、第１の高い位置にある内側端部から第１の低い位置にある外側端部まで延在することを特徴とする請求項１に記載の交換可能な接線切削インサート。
【請求項３】
各副側面は、上面から底面の方向に外側に向って傾斜していることを特徴とする請求項１に記載の交換可能な接線切削インサート。
【請求項４】
上面から見て、切削インサートは、短い対角線Ｄ１を有し、インサート貫通孔は、最小貫通孔直径Ｄ２を有し、
比（Ｄ２／Ｄ１）は、０．３０以上であることを特徴とする請求項１に記載の交換可能な接線切削インサート。
【請求項５】
凹部は、インサート貫通孔の最小直径を少なくとも２０％分超える最大直径を有することを特徴とする請求項１に記載の交換可能な接線切削インサート。
【請求項６】
凹部は、インサート貫通孔の最小直径を少なくとも３０％分超える最大直径を有することを特徴とする請求項５に記載の交換可能な接線切削インサート。
【請求項７】
インサート突出部は、概略リング状であり、対向する截頭外壁部分において截頭されていることを特徴とする請求項１に記載の交換可能な接線切削インサート。
【請求項８】
対向する截頭外壁部分は、対向する主側面に属する主側面下方部分と結合することを特徴とする請求項７に記載の交換可能な接線切削インサート。
【請求項９】
一対の対向する底部当接縁は、インサート突出部当接面の主側面下方部分との接合部に形成されることを特徴とする請求項８に記載の交換可能な接線切削インサート。
【請求項１０】
凸状輪郭は、第１の対角線上に対向する一対の同一の凸状輪郭要素及び第２の対角線上に対向する一対の同一の凸状輪郭要素を備え、
第１の対角線上に対向して対をなす部材及び第２の対角線上に対をなす部材が、共通の凸状の幾何学的表面上に全てあるとは限らないことを特徴とする請求項１に記載の交換可能な接線切削インサート。
【請求項１１】
第１の対角線上に対向して対をなす部材は、第１の円筒面上にあり、
第２の対角線上に対向して対をなす部材は、異なる第２の円筒面上にあることを特徴とする請求項１０に記載の交換可能な接線切削インサート。
【請求項１２】
ポケット・ベース及び該ポケット・ベースに着座する切削インサートを有するインサート・ポケットを備える切削部分を有する回転切削工具であって、
（ａ）切削インサートは、
それを中心として切削インサートが１８０°の回転対称である中心軸、上面、底面、上面と底面との間に延在する周囲側面であって、一対の副側面に接続する一対の対向する主側面を含んでいる周囲側面、及び中心軸に沿って延在し、上面及び底面を接続するインサート貫通孔を有するインサート本体、
主切削刃間に延在する凸状輪郭を有する上面と主側面との交差部に形成される第１及び第２の主切削刃、
主側面の一方の側面と隣接する副側面との接合部に沿って形成される第１及び第２の副切削刃、
を備え、
底面は、ベース面と、切削インサートの底面からみて、ベース面の上に起立するインサート突出部上に形成されるインサート突出部当接面とを備え、
インサート突出部は、底面の中心部分に形成され、ベース面に少なくとも部分的に取り囲まれ、
インサート凹部は、中心軸に沿ってインサート突出部に形成され、インサート貫通孔に連通し、インサート凹部は、インサート貫通孔の最小直径より大きい最大幅寸法を有しており、
（ｂ）インサート突出部当接面は、ポケット・ベース上にあり、
（ｃ）インサート・ポケットには、ポケット・ベースの上に起立し、インサート凹部内に嵌まり込むポケット突出部が設けられ、該ポケット突出部は、そこに形成されたネジ切りされた孔を有することを特徴とする回転切削工具。
【請求項１３】
ポケット突出部は、インサート凹部を画定する表面に接触することなくインサート凹部内に嵌まり込むことを特徴とする請求項１２に記載の回転切削工具。
【請求項１４】
インサート突出部当接面の最も外側の部分は、ポケット・ベースの対応する最も外側の部分の上にあり、
インサート突出部当接面の最も内側の部分は、ポケット・ベースにより支持されないままであることを特徴とする請求項１２に記載の回転切削工具。
【請求項１５】
切削部分は、ちょうど２つのインサート・ポケットを備え、各インサート・ポケットは、そこに保持される切削インサートを有することを特徴とする請求項１２に記載の回転切削工具。
【請求項１６】
２つのインサート・ポケット各々は、ネジ切りされた孔を有し、各ネジ切りされた孔は、軸を有し、ネジ切りされた孔の軸は、互いに平行であり、工具の幅を横切る横方向に互いにずれていることを特徴とする請求項１５に記載の回転切削工具。
【請求項１７】
工具の切削直径は、１０ｍｍほどであることを特徴とする請求項１５に記載の回転切削工具。
【請求項１８】
凸状輪郭は、第１の対角線上に対向する一対の同一の凸状輪郭要素及び第２の対角線上に対向する一対の同一の凸状輪郭要素を備え、
第１の対角線上に対向する対をなす部材及び第２の対角線上に対抗して対をなす部材は、共通の凸状の幾何学的表面上に全てあるとは限らないことを特徴とする請求項１２に記載の回転切削工具。
【請求項１９】
第１の対角線上に対向して対をなす部材は、第１の円筒面上にあり、
第２の対角線上に対向して対をなす部材は、異なる第２の円筒面上にあることを特徴とする請求項１８に記載の回転切削工具。
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
座と、
座上に引き伸ばされた内側部を有する薄膜とを有し、
使用時に前記薄膜の内側部は選択的に前記座から偏位することにより、前記薄膜の一方の側から他方の側へと延びる流路を形成しバルブを開き、
前記薄膜の偏位を内側部のみに制限するように、前記薄膜の外側周縁部が内側部よりも硬く構成されていることを特徴とする一方向バルブ。
【請求項２】
前記薄膜の前記外側部に埋め込まれた、剛性を有する枠を更に備えていることを特徴とする請求項１記載のバルブ。
【請求項３】
前記薄膜の前記外側部は前記内側部とは異なる材料組成又は寸法を有していることを特徴とする請求項１乃至請求項２のいずれか一記載のバルブ。
【請求項４】
前記薄膜の前記内側部と前記外側部との相対的な硬さは、バルブを開くのに必要な所望の動作圧力に応じて選択されていることを特徴とする請求項１乃至請求項３のいずれか一記載のバルブ。
【請求項５】
前記流路のうち前記薄膜を横切る部分を形成するための少なくとも一つの貫通孔が前記薄膜に形成されていることを特徴とする請求項１乃至請求項４のいずれか一記載のバルブ。
【請求項６】
前記貫通孔の数及び配置は、バルブが開くのに必要な所望の動作圧力に応じて選択されていることを特徴とする請求項５記載のバルブ。
【請求項７】
前記弁座を有する第１本体部と、前記薄膜に関して第１本体部とは反対側に設けられた第２本体部とを更に有し、
前記第１本体部は、該第１本体部を貫通するように形成され、バルブの流入口を規定する流体用導管を備え、前記第２本体部は、該第２本体部を貫通するように形成され、バルブの流出口を規定する流体用導管を備えていることを特徴とする請求項１乃至請求項６のいずれか一記載のバルブ。
【請求項８】
第１のキャビティが第１本体部に形成された凹部により規定されており、前記凹部は、薄膜が弁座から偏位してバルブを開くときに、前記流入口から前記薄膜に形成された貫通孔への流路を提供し、
第２のキャビティが、第２の本体部に形成された凹部により規定されており、バルブが開いたときに薄膜の内側部が移動して該凹部に入ることを特徴とする請求項７記載のバルブ。
【請求項９】
前記薄膜の前記外側部は、前記第１本体部に固定され且つ前記第１本体部と前記第２本体部との間に固定されているか、前記第１本体部に固定されているか、若しくは、前記第１本体部と前記第２本体部との間に固定されていることを特徴とする請求項７又は請求項８記載のバルブ。
【請求項１０】
前記第１本体部と前記第２本体部とのうちの少なくとも一方は、１つ又はそれ以上の位置合わせ点にて、前記薄膜の前記外側部と整合するよう位置合わせされており、
前記第１本体部と前記第２本体部とのうちの少なくとも一方の周縁部が前記薄膜の周縁部と合致するよう位置合わせされているか、又は、前記薄膜の外側部に形成された位置合わせ用穴を貫通し、前記第１本体部と前記第２本体部とのうちの少なくとも一方に接続された位置合わせ用柱を更に備えていることを特徴とする請求項７乃至請求項９のいずれか一記載のバルブ。
【請求項１１】
前記薄膜は、ゴム、シリコーン、エラストマーを含む材料のグループから選択された材料で形成されていることを特徴とする請求項１乃至請求項１０のいずれか一記載のバルブ。
【請求項１２】
弁座の少なくとも外側部は、バルブが閉じたときに薄膜の内側部が弁座の周囲を均一にシールするように均一な高さを有していることを特徴とする請求項１乃至請求項１１のいずれか一記載のバルブ。
【請求項１３】
請求項１乃至請求項１２のいずれか一記載のバルブを有することを特徴とするポンプ。
【請求項１４】
入口と出口とを有するポンプ室と、
前記ポンプ室の体積を変えるための手段と、を備え、
前記入口と前記出口との少なくとも一方が前記バルブを有することを特徴とし、液体治療薬を送るための請求項１３記載のポンプ。
【請求項１５】
前記ポンプ室の体積の一部は、前記バルブの前記薄膜内側部によって境界が規定されていることを特徴とする請求項１４記載のポンプ。
【請求項１６】
前記入口と前記出口とはそれぞれ一つずつバルブを有し、前記入口バルブは、前記出口バルブよりも低い動作圧力を有していることを特徴とする請求項１４又は請求項１５記載のポンプ。
【請求項１７】
前記入口バルブの弁座は、前記入口バルブの薄膜外側部が規定する平面を越えて前記薄膜内側部へ向かって突出しており、その突出量は前記出口バルブの弁座の突出量より小さいことを特徴とする請求項１６記載のポンプ。
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
肝疾患を有する個体の治療に用いるための装置であって、
(a)  個体の血液からアルブミンを選択的に取り除くための手段、
(b)  個体の血液からエンドトキシンを選択的に取り除くための手段、および
(c)  個体の血液に、該個体に由来するものではないアルブミンを供給するための手段、
を含み、前記手段(a)が、100kDaより小さい孔サイズのメンブレンを含むアルブミンの透析手段を含む、上記装置。
【請求項２】
(d)  個体の血液からアルブミンに結合したトキシンを取り除くための手段、
をさらに含む、請求項1に記載の装置。
【請求項３】
ex vivoで用いるためのものである、請求項1〜2のいずれか1項に記載の装置。
【請求項４】
前記手段(a)がアルブミンと選択的に結合することができる固相支持体を含む、請求項1〜3のいずれか1項に記載の装置。
【請求項５】
前記手段(b)がエンドトキシンと選択的に結合することができる固相支持体、または血中エンドトキシンレベルを低下させることのできる薬剤を含む、請求項1〜4のいずれか1項に記載の装置。
【請求項６】
(c)のアルブミンが医薬品グレードのアルブミンである、請求項1〜5のいずれか1項に記載の装置。
【請求項７】
個体の血液がex vivoで前記装置を通過する、請求項1〜6のいずれか1項に記載の装置。
【請求項８】
前記アルブミンの透析手段が50kDaより大きい孔サイズのメンブレンを含む、請求項1〜7のいずれか1項に記載の装置。
【請求項９】
肝疾患を有する個体の血液の処理方法であって、
(a)  該血液からアルブミンを取り除くステップ、
(b)  該血液中のエンドトキシンのレベルを低下させるステップ、および
(c)  該血液に、該個体に由来するものではないアルブミンを導入するステップ、
を含み、ステップ(a)を、100kDaより小さい孔サイズのメンブレンを含む手段を用いる透析により実施し、該方法がex vivoで行われる、上記方法。
【請求項１０】
ステップ(a)および(c)を透析により実施する、請求項9に記載の方法。
【請求項１１】
（i）ステップ(b)が血液からエンドトキシンを取り除くことを含む、または（ii）ステップ(b)が血中エンドトキシンレベルを低下させることのできる薬剤を治療上有効な量で血液に添加することを含む、請求項9または10に記載の方法。
【請求項１２】
ステップ(c)のアルブミンが医薬品グレードのアルブミンである、請求項9〜11のいずれか1項に記載の方法。
【請求項１３】
請求項1〜8のいずれか1項に記載の装置を用いて実施する、請求項9〜12のいずれか1項に記載の方法。
【請求項１４】
個体の血液からアルブミンとエンドトキシンが取り除かれるように、個体からの血液を請求項1〜8のいずれか1項に記載の装置と接触させるステップを含んでなり、ex vivoで行われる、肝疾患の治療方法。
【請求項１５】
肝疾患を有する個体に由来する血液からアルブミンとエンドトキシンを選択的に取り除くことによって血液を体外的に処理する方法であって、
(a)  血液をアルブミンと選択的に結合する固相支持体と共にインキュベートし、それにより血液からアルブミンを取り除くこと、
(b)  血液をエンドトキシンと選択的に結合する固相支持体と共にインキュベートし、それにより血液からエンドトキシンを取り除くこと、および
(c)  前記血液と同じ個体に由来するものではないアルブミンを前記血液に添加すること、
を含む、上記方法。
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
カーペットの上を通過する通行体と接触するための汚れ除去用の外部表面を有する上層と、該上層の下に配置され、該上層に固着される、同一の広がりを持つ下層とを備えるカーペットであって、
前記上層が、織物繊維を含み、
前記上層が透水性であり、これによって、上層から前記下層の中に水を排出させることができ、前記下層が、前記上層から受けた水を、後の除去のために集めるように構成されているカーペット。
【請求項２】
更に、パイル層を備え、該パイル層が、不透過性材料を含む裏材を有し、該裏材が、該裏材を貫いて水が通ることができるように穿孔されている、請求項１に記載のカーペット。
【請求項３】
更に、溝を備え、該溝が、不織布材又はコイル状ウェブ材料の層によって提供されている、請求項２に記載のカーペット。
【請求項４】
前記下層によって集められた水を封じ込めるために外周に設けられた縁取り材を備える、請求項３に記載のカーペット。
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
式
【化１】
2010501499.tif 000001
［式中、
R1は、CH3またはC3-6アルキニルであり、
R2は、H、-CH2-CH2-OH、-CH2-CH2-O-CH2-CH3であり、
Xは、=O、(H, H)または(H, OH)である
(ただし、Xが=Oであり、R1がCH3であるとき、R2は、H以外である)］
で示される化合物を有効成分として含む、肝臓関連線維症または狼瘡の処置剤。
【請求項２】
上皮間葉移行を阻害するための、請求項１に記載の処置剤。
【請求項３】
線維化誘導性増殖因子の発現を減少させるための、請求項１に記載の処置剤。
【請求項４】
細胞外マトリックス産生を減少させるための、請求項１に記載の処置剤。
【請求項５】
肝臓線維症を処置するための、請求項１から４のいずれか１項に記載の処置剤。
【請求項６】
肝硬変を処置するための、請求項５に記載の処置剤。
【請求項７】
狼瘡を処置するための、請求項１から４のいずれか１項に記載の処置剤。
【請求項８】
狼瘡腎炎を処置するための、請求項７に記載の処置剤。
【請求項９】
請求項１から８のいずれか１項に記載したあらゆる疾患状態に関連した疾患を処置するための、請求項１に記載の処置剤。
【請求項１０】
式Iの化合物が、40-O-(2-ヒドロキシ)-エチル-ラパマイシン、32-デオキソラパマイシン、16-ペンタ-2-イニルオキシ-32-デオキソラパマイシン、16-ペンタ-2-イニルオキシ32 (SまたはR)-ジヒドロ-ラパマイシン、16-ペンタ-2-イニルオキシ32 (SまたはR)-ジヒドロ-40-O-(2-ヒドロキシ)-エチル-ラパマイシン、および40-O-(2-エトキシ)-エチル-ラパマイシンからなる群から選択される、請求項１から９のいずれか１項に記載の処置剤。
【請求項１１】
式Iの化合物が、40-O-(2-ヒドロキシ)-エチル-ラパマイシンである、請求項１から１０のいずれか１項に記載の処置剤。
【請求項１２】
請求項１から１１のいずれか１項で定義した処置剤に使用するための、請求項１で定義した式Iの化合物。
【請求項１３】
さらに１個またはそれ以上の薬学的に許容される希釈剤もしくは担体を含む、請求項１から１１のいずれか１項に記載の処置剤。
【請求項１４】
a) 請求項１から１１のいずれか１項に記載の処置剤である第１剤、および
b) 化学療法剤である共薬剤としての第２薬剤物質
を含む、医薬組み合わせ剤。
【手続補正書】
【提出日】平成22年7月15日(2010.7.15)
【手続補正１】
【補正対象書類名】明細書
【補正対象項目名】０３０７
【補正方法】変更
【補正の内容】
【０３０７】
実施例１１  Ｎ−メチル−Ｎ−（１−メチル−１Ｈ−インドール−２−イルメチル）−３−（４−メチル−２，３，４，５−テトラヒドロ−１Ｈ−ピリド［２，３−ｅ］［１，４］ジアゼピン−７−イル）−アクリルアミド  二塩酸塩
【化１２７】
2010501474.tif 000001
メチル−（１−メチル−１Ｈ−インドール−２−イルメチル）−アミン（１５８ｍｇ，０．９ｍｍｏｌ）及び３−（４−メチル−２，３，４，５−テトラヒドロ−１Ｈ−ピリド［２，３−ｅ］［１，４］ジアゼピン−７−イル）−アクリル酸  塩酸塩（２０１ｍｇ，０．７５ｍｍｏｌ）の懸濁液にＥＤＣ（０．２１ｇ，１．１ｍｍｏｌ）を添加した。得られた混合物を４０℃で一夜撹拌した。得られた混合物を０℃に冷却し、そして速い撹拌下Ｈ２Ｏ（６０ｍＬ）で希釈した。析出した沈澱を濾取し、Ｈ２Ｏ（２０ｍＬ）で洗浄し、ついで高真空下で乾燥した。得られた固体をフラッシュクロマトグラフィー（シリカゲル：５％メタノール含有ジクロロメタン）で精製した。得られたフラクションを集め、２．０Ｍ  ＨＣｌエーテル溶液（５ｍＬ）で処理した。得られた懸濁剤を濃縮し、Ｅｔ２Ｏ（５０ｍＬ）で研和し、ついで濾過するとカップリングした固体が得られた。得られた固体をメチレンクロライド（５ｍＬ）に溶解し、２．０Ｍ  ＨＣｌエーテル溶液（０．７５ｍＬ，１．５ｍｍｏｌ）で処理した。析出した黄色の沈澱を濾取し、ジエチルエーテルで研和し、ついで高真空下で乾燥すると、表題化合物が、白色固体として１３８ｍｇ（収率：４２％）得られた。
１Ｈ  ＮＭＲ（３００ＭＨｚ，ＤＭＳＯ−ｄ６）１１．９２（ｂｓ，１Ｈ）、８．４３−８．１７（ｍ，２Ｈ），７．５３−７．３８（ｍ，３Ｈ），７．２９−６．９８（ｍ，３Ｈ），６．４０（ｓ，１Ｈ），５．０５−４．８４（ｍ，２Ｈ），４．５５−４．６３（ｍ，１Ｈ），４．３１−４．３８（１Ｈ），３．６４−３．８０（ｍ，６Ｈ），３．３３−３．４５（ｍ，１Ｈ），２．９７−２．９３（ｍ，２Ｈ），２．８２−２．７９（ｍ，３Ｈ）；
ＭＳ  （ＥＳＩ）  ｍ／ｅ  ３９０（Ｃ２３Ｈ２７Ｎ５Ｏ＋Ｈ）＋.
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
シリコンを精製する方法であって、
（ａ）不純な固体シリコン原料と、精製されたリサイクルシリコンを含む蒸気とを第１の流動床反応装置の中へ供給する工程、
（ｂ）過剰の不純な固体シリコンと蒸気混合物とを含む生成物を、前記第１の流動床反応装置から取り出す工程、
（ｃ）前記生成物を固‐気分離装置の中へ移送する工程、
（ｄ）前記生成物を分離された固体と分離された蒸気とに分離する工程、
（ｅ）前記分離された固体の微粉部分を前記固‐気分離装置から取り出し、前記分離された固体の粗粒部分を前記第１の流動床反応装置へ戻す工程、
（ｆ）前記分離された蒸気を第２の流動床反応装置へ移送する工程、
（ｇ）最初に純シリコン種晶粒子を前記第２の流動床反応装置へ供給する工程、及び
（ｈ）純シリコン粒を前記第２の流動床反応装置から取り出す工程
を含む方法。
【請求項２】
前記第２の流動床反応装置は８００℃から１０００℃の間の温度に維持される、請求項１に記載の方法。
【請求項３】
前記第１の流動床反応装置は１２００℃から１３５０℃の間の温度に維持される、請求項２に記載の方法。
【請求項４】
前記精製されたリサイクル蒸気はＳＩ４の蒸気及びＩ２の蒸気を含む、請求項３に記載の方法。
【請求項５】
前記蒸気混合物はＳＩ２、ＳＩ４、Ｉ２、Ｉ及び前記不純な固体シリコン原料からのヨウ素含有不純物蒸気を含む、請求項４に記載の方法。
【請求項６】
前記固‐気分離装置は、前記第１の流動床反応装置と同様な温度に維持される、請求項５に記載の方法。
【請求項７】
前記第２の流動床反応装置は、前記第１の流動床反応装置より実質的に低い温度に維持される、請求項６に記載の方法。
【請求項８】
前記第２の流動床反応装置内で、前記分離された蒸気中のＳＩ２は、蒸気中にある間に反応して純粋な固体シリコンの核を形成し、前記初期シリコン種晶粒子と反応して前記種晶粒子の上に前記純シリコン粒の膜を形成する、請求項７に記載の方法。
【請求項９】
ＳＩ４、Ｉ２、Ｉ、ＳＩ３及び前記不純なシリコン原料からのヨウ素含有不純物蒸気の混合物が、前記第２の流動床反応装置から取り出される、請求項８に記載の方法。
【請求項１０】
前記混合物及び前記純シリコン粒は、第２の固‐気分離装置へ供給される、請求項９に記載の方法。
【請求項１１】
前記第２の固‐気分離装置は、前記第２の流動床反応装置より低い温度に維持されて、前記第２の流動床の下流の前記気相中のシリコン核形成を最小限にする、請求項１０に記載の方法。
【請求項１２】
前記第２の固‐気分離装置からの純粋な固体シリコンの核は前記第２の流動床反応装置へ戻される、請求項１１に記載の方法。
【請求項１３】
内部空洞を有して形成された、温度制御された反応装置、及び
前記空洞内の流動床、
を含み、前記流動床は、シリコン材料と少なくとも１つの不活性材料との組み合わせによって形成されているシリコンを精製するための槽。
【請求項１４】
前記不活性材料は、シリカ、アルゴン又は不活性気体の少なくとも１つである、請求項１３に記載の槽。
【請求項１５】
請求項１３に記載の槽であって、蒸気／固体混合物を分離する分離装置も組み込まれている槽。
【請求項１６】
第１の温度範囲内で動作する、シリコンヨウ化物蒸気生成物を発生させるための第１の温度調節されたチャンバ、
第２の温度範囲内で動作する、前記シリコンヨウ化物蒸気生成物を受け取るための第２の温度調節されたチャンバ、及び
前記第１の温度調節されたチャンバと前記第２の温度調節されたチャンバとの間に配置された、それらの間に選択可能な温度勾配を提供して固体シリコン生成物の形成を促進するための熱交換器
を含むシリコン処理モジュール。
【手続補正書】
【提出日】平成22年5月26日(2010.5.26)
【手続補正１】
【補正対象書類名】特許請求の範囲
【補正対象項目名】請求項１
【補正方法】変更
【補正の内容】
【請求項１】
搬送手段（８）上に載置されつつカメラ装置（１５）の前を通過する各容器（２）固有の目印（４）が少なくとも１つのカメラ装置を備えた少なくとも１つの画像検出処理システムによって検出されるとともに、該画像検出処理システムによってラベリング工程を制御するための信号が送出される、前記各容器固有の前記目印（４）上における所定の位置に正確にラベリングするラベル（３）貼付方法において、
各容器ごとの前記目印（４）の向き及び／又は形状を前記画像検出処理システム（４，１５）によって検出し、各容器ごとの前記ラベル（３）の貼付タイミングを、該ラベル（３）が前記目印（４）における所定の正確な位置にくるよう制御することを特徴とするラベル貼付方法。
【手続補正２】
【補正対象書類名】特許請求の範囲
【補正対象項目名】請求項３
【補正方法】変更
【補正の内容】
【請求項３】
前記画像検出処理システムによって、前記目印（４）の形状を検出することを特徴とする請求項１又は２記載のラベル貼付方法。
【手続補正３】
【補正対象書類名】特許請求の範囲
【補正対象項目名】請求項８
【補正方法】変更
【補正の内容】
【請求項８】
前記各容器（２）の調整を、前記目印における少なくとも１つの領域を光学的に検出することにより行うことを特徴とする請求項１〜７のいずれか１項に記載のラベル貼付方法。
【手続補正４】
【補正対象書類名】特許請求の範囲
【補正対象項目名】請求項１３
【補正方法】変更
【補正の内容】
【請求項１３】
前記貼付タイミングを制御する画像検出処理システム及び前記各容器（２）の調整を制御する画像検出処理システムに対して共通のカメラ装置（１４）を用いることを特徴とする請求項１〜１２のいずれか１項に記載のラベル貼付方法。
【手続補正５】
【補正対象書類名】特許請求の範囲
【補正対象項目名】請求項１６
【補正方法】変更
【補正の内容】
【請求項１６】
容器（２）の目印（４）上における所定の位置に正確にラベリングするラベリング装置であって、少なくとも１つのカメラ装置（１５）を備えた少なくとも１つの画像検出処理システムを備え、搬送手段（８）上に載置されつつ該カメラ装置の前を通過する前記各容器（２）における前記目印（４）が前記カメラ装置によって検出され、ラベリング工程を制御する信号が前記画像検出処理システムによって送出され、前記搬送手段（８）の回転軌道に沿って少なくとも１つのラベリングステーション（９）を備えて成る前記ラベリング装置において、
前記各容器ごとの前記目印（４）の向き及び／又は形状を前記画像検出処理システム（４，１５）によって検出し、前記ラベリングステーション（９）におけるラベル（３）の貼付タイミングを制御する信号を前記画像検出処理システムによって送出するよう構成したことを特徴とするラベリング装置。
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
以下の成分：
殺虫的に有効な量のペルメトリン；
殺虫的に有効な量のジノテフラン；
有効な量のピリプロキシフェン；及び
N-オクチルピロリドンとN-メチルピロリドンを含んでなる有効な量の溶媒成分
を組み合わせて調製されている殺虫剤。
【請求項２】
前記殺虫剤が37〜38%のペルメトリンを含む、請求項1の殺虫剤。
【請求項３】
前記殺虫剤が5〜10%のジノテフランを含む、請求項1の殺虫剤。
【請求項４】
前記殺虫剤が0.45〜5%のピリプロキシフェンを含む、請求項1の殺虫剤。
【請求項５】
前記殺虫剤が0〜6%のN-オクチルピロリドンを含む、請求項1の殺虫剤。
【請求項６】
前記殺虫剤が41〜57%のN-メチルピロリドンを含む、請求項1の殺虫剤。
【請求項７】
前記殺虫剤が37%のペルメトリンを含む、請求項1の殺虫剤。
【請求項８】
前記殺虫剤が5%のジノテフランを含む、請求項7の殺虫剤。
【請求項９】
前記殺虫剤が0.45%のピリプロキシフェンを含む、請求項8の殺虫剤。
【請求項１０】
前記殺虫剤が0〜6%のN-オクチルピロリドンを含む、請求項9の殺虫剤。
【請求項１１】
前記殺虫剤が51〜57%のN-メチルピロリドンを含む、請求項10の殺虫剤。
【請求項１２】
前記殺虫剤が37.08%のペルメトリンを含む、請求項1の殺虫剤。
【請求項１３】
前記殺虫剤が7.5〜10%のジノテフランを含む、請求項12の殺虫剤。
【請求項１４】
前記殺虫剤が1〜5%のピリプロキシフェンを含む、請求項13の殺虫剤。
【請求項１５】
前記殺虫剤が0〜6%のN-オクチルピロリドンを含む、請求項14の殺虫剤。
【請求項１６】
前記殺虫剤が41〜55%のN-メチルピロリドンを含む、請求項15の殺虫剤。
【請求項１７】
前記殺虫剤が37.08%のペルメトリンを含む、請求項1の殺虫剤。
【請求項１８】
前記殺虫剤が5%のジノテフランを含む、請求項17の殺虫剤。
【請求項１９】
前記殺虫剤が1〜5%のピリプロキシフェンを含む、請求項18の殺虫剤。
【請求項２０】
前記殺虫剤が0〜6%のN-オクチルピロリドンを含む、請求項19の殺虫剤。
【請求項２１】
前記殺虫剤が46〜57%のN-メチルピロリドンを含む、請求項20の殺虫剤。
【請求項２２】
以下の成分：
殺虫的に有効な量のペルメトリン；及び
N-オクチルピロリドンと乳酸エチルを含んでなる有効な量の溶媒成分
を組み合わせて調製されている殺虫剤。
【請求項２３】
前記殺虫剤が45〜48%のペルメトリンを含む、請求項22の殺虫剤。
【請求項２４】
前記殺虫剤が4〜6%のN-オクチルピロリドンを含む、請求項22の殺虫剤。
【請求項２５】
前記殺虫剤が48〜51%の乳酸エチルを含む、請求項22の殺虫剤。
【請求項２６】
前記殺虫剤が47.97%のペルメトリンを含む、請求項22の殺虫剤。
【請求項２７】
前記殺虫剤が4〜6%のN-オクチルピロリドンを含む、請求項26の殺虫剤。
【請求項２８】
前記殺虫剤が48.03〜50.03%の乳酸エチルを含む、請求項27の殺虫剤。
【請求項２９】
前記殺虫剤が45%のペルメトリンを含む、請求項22の殺虫剤。
【請求項３０】
前記殺虫剤が6%のN-オクチルピロリドンを含む、請求項29の殺虫剤。
【請求項３１】
前記殺虫剤が49%の乳酸エチルを含む、請求項30の殺虫剤。
【請求項３２】
以下の製剤：
第1のチャンバーに含まれる第1の製剤；及び
第2のチャンバーに含まれる第2の製剤
を組み合わせて調製される殺虫剤であって、
前記第1のチャンバーと第2のチャンバーは一緒に包装されるが、前記殺虫剤の投与前の第1の殺虫剤組成物と第2の殺虫剤組成物との間の相互作用を防止する少なくとも1つのバリアで隔てられており；
前記第1の製剤がペルメトリン及び乳酸エチルを含み；かつ
前記第2の製剤がジノテフラン、ピリプロキシフェン、N-オクチルピロリドン及び乳酸エチルを含む、前記殺虫剤。
【請求項３３】
前記殺虫剤が32〜48%のペルメトリンを含む、請求項32の殺虫剤。
【請求項３４】
前記殺虫剤が10〜20%のジノテフランを含む、請求項32の殺虫剤。
【請求項３５】
前記殺虫剤が0.25〜5%のピリプロキシフェンを含む、請求項32の殺虫剤。
【請求項３６】
前記殺虫剤が0.15〜0.5%のN-オクチルピロリドンを含む、請求項32の殺虫剤。
【請求項３７】
前記殺虫剤が、前記第1のチャンバーに52〜58%の乳酸エチルを含み、かつ前記第2のチャンバーに43〜51%の乳酸エチルを含む、請求項32の殺虫剤。
【請求項３８】
前記殺虫剤が46%のペルメトリンを含む、請求項32の殺虫剤。
【請求項３９】
前記殺虫剤が15%のジノテフランを含む、請求項38の殺虫剤。
【請求項４０】
前記殺虫剤が1.5%のピリプロキシフェンを含む、請求項39の殺虫剤。
【請求項４１】
前記殺虫剤が0.2%のN-オクチルピロリドンを含む、請求項40の殺虫剤。
【請求項４２】
前記殺虫剤が、前記第1のチャンバーに54%の乳酸エチルを含み、かつ前記第2のチャンバーに48%の乳酸エチルを含む、請求項41の殺虫剤。
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
発光性ランタノイドキレートに保持された生体特異的結合反応性物質を含む検出可能な分子であって、該発光性ランタノイドキレートが、ランタノイドイオンと、下記式（Ｉ）で表されるキレートリガンドからなる、ことを特徴とする検出可能な分子。
【化１】
2010501481.tif 000001
但し、
ａ）  Ｒ1AとＲ1Bは各々、独立的に、水素原子、メチル、エチル、−ＣＯＯＨ、−ＣＯＯ-、−ＣＨ2ＣＯＯＨ、−ＣＨ2ＣＯＯ-、ヒドロキシル及び−ＯＲ2からなる群より選ばれ；
ｂ）  Ｒ2は、−ＣＨ3、−Ｃ（ＣＨ3）3 及び−Ｃ（ＣＲ4）3からなる群より選ばれ、但しＲ4は炭素数１〜６のアルキル、−ＣＨ2ＣＯＯＨ、−ＣＨ2ＣＯＯ-、
【化２】
2010501481.tif 000002
であり；
ｃ）  Ｒ3は生体特異的結合反応性物質に連結するためのリンカーであり、チオウレア（−ＮＨ−ＣＳ−ＮＨ−）、アミノアセトアミド（−ＮＨ−ＣＯ−ＣＨ2−ＮＨ−）、アミド（−ＮＨ−ＣＯ−と−ＣＯ−ＮＨ−）、脂肪族チオエーテル（−Ｓ−）、ジスルフィド（−Ｓ−Ｓ−）及び６−置換−１，３，５−トリアジン−２，４−ジアミンからなる群より選ばれ；そして
ｄ）  ランタノイドイオンは、ユーロピウム（ＩＩＩ）、テルビウム（ＩＩＩ）、ジスプロジウム（ＩＩＩ）及びサマリウム（ＩＩＩ）からなる群より選ばれる。
【請求項２】
生体特異的結合反応性物質が、抗体、抗原、受容体リガンド、特異的結合性タンパク質又はペプチド、核酸分子、ＤＮＡ又はＲＮＡプローブ、核酸誘導体、及び、核酸と核酸誘導体からなる群より選ばれる少なくとも１種を含むキメラ分子、からなる群より選ばれることを特徴とする請求項１に記載の検出可能な分子。
【請求項３】
生体特異的結合反応性物質に保持された発光性ランタノイドキレートが｛２，２’，２’’，２’’’−｛［２−（４−イソチオシアナトフェニル）エチルイミノ］ビス（メチレン）ビス｛４−［２−メトキシ−４−（カルボキシメトキシ）フェニル］ピリジン−６，２−ジイル｝ビス（メチレンニトリロ）｝テトラキス（アセタト）｝テルビウム（ＩＩＩ)であることを特徴とする請求項１に記載の検出可能な分子。
【請求項４】
リンカーであるＲ3が６−置換−１，３，５−トリアジン−２，４−ジアミンであり、６位の置換基が、水素原子、ハロゲン原子、アルコキシ、アリーロキシ、アミノ、炭素数１〜６のアルキル、置換アミノ及び置換チオエーテルからなる群より選ばれる、ことを特徴とする請求項１に記載の検出可能な分子。
【請求項５】
６位の置換基が、塩素原子、フッ素原子、エトキシ、２−メトキシエトキシ、２−シアノエトキシ、２，２，２−トリフルオロエトキシ、チオフェノキシ及びエトキシカルボニルチオメトキシからなる群より選ばれる、ことを特徴とする請求項４に記載の検出可能な分子。
【請求項６】
ランタノイドイオンと、下記式（Ｉ）で表されるキレートリガンドからなる、ことを特徴とする発光性ランタノイドキレート。
【化３】
2010501481.tif 000003
但し、
ａ）  Ｒ1AとＲ1Bは各々、独立的に、水素原子、メチル、エチル、−ＣＯＯＨ、−ＣＯＯ-、−ＣＨ2ＣＯＯＨ、−ＣＨ2ＣＯＯ-、ヒドロキシル及び−ＯＲ2からなる群より選ばれ；
ｂ）  Ｒ2は、−ＣＨ3、−Ｃ（ＣＨ3）3 及び−Ｃ（ＣＲ4）3からなる群より選ばれ、但しＲ4は炭素数１〜６のアルキル、−ＣＨ2ＣＯＯＨ、−ＣＨ2ＣＯＯ-、
【化４】
2010501481.tif 000004
であり；
ｃ）  Ｒ3は生体特異的結合反応性物質に連結するためのリンカーであり、アミノ、アミノオキシ、カルボキシ、アルデヒド、メルカプト及びそれらの活性誘導体からなる群より選ばれ；そして
ｄ）  ランタノイドイオンは、ユーロピウム（ＩＩＩ）、テルビウム（ＩＩＩ）、ジスプロジウム（ＩＩＩ）及びサマリウム（ＩＩＩ）からなる群より選ばれる。
【請求項７】
リンカーであるＲ3が、イソシアナト、イソチオシアナト、ジアゾニウム、ブロモアセトアミド、ヨードアセトアミド、反応性エステル類、ピリジル−２−ジチオ及び６−置換−４−クロロ−１，３，５−トリアジン−２−イルアミノからなる群より選ばれる活性誘導体である、ことを特徴とする請求項６に記載の発光性ランタノイドキレート。
【請求項８】
リンカーであるＲ3が６−置換−４−クロロ−１，３，５−トリアジン−２−イルアミノであり、６位の置換基が、水素原子、ハロゲン原子、アルコキシ、アリーロキシ、アミノ、炭素数１〜６のアルキル、置換アミノ及び置換チオエーテルからなる群より選ばれる、ことを特徴とする請求項６に記載の発光性ランタノイドキレート。
【請求項９】
６位の置換基が、塩素原子、フッ素原子、エトキシ、２−メトキシエトキシ、２−シアノエトキシ、２，２，２−トリフルオロエトキシ、チオフェノキシ及びエトキシカルボニルチオメトキシからなる群より選ばれる、ことを特徴とする請求項８に記載の発光性ランタノイドキレート。
【請求項１０】
生体特異的結合アッセイにおける、請求項１〜５のいずれかの検出可能な分子の使用。
【手続補正２】
【補正対象書類名】明細書
【補正対象項目名】００６２
【補正方法】変更
【補正の内容】
【００６２】
３０μｌのＰＣＲ反応系は、次の成分からなるものである。１×HotMaster Taq バッファー（ドイツ国、Eppendorf社）、０．２ｍＭの各ｄＮＴＰ、０．３μＭのフォワードプライマー（5'-GAT ACA GAA ACA TCG GTT GGC-3'、配列番号３）、０．３μＭのリバースプライマー（5'-GTG TAA TCT TGA TGC CAT CAG G-3'、配列番号４）、２８ｎＭのプローブ１またはプローブ２、２８０ｎＭの消光プローブ（上記実施例８に記載）及び１単位のHotMaster Taq ＤＮＡポリメラーゼ（Eppendorf社）。熱サイクル反応を９６穴のプレートを用いてPTC 200 DNA Engine（米国、MJ Research社）で実施した。熱サイクル反応のプロトコルは、初期の９４℃で２分の変性工程及びそれに続く４０サイクルの９４℃で３０秒と６５℃で１分の反応からなり、その後、反応系を４℃に冷却した。熱サイクル反応後には、テルビウム測定用デフォルト設定値を用いたVictor 2マルチラベルカウンターでテルビウムシグナルを計測した。正の対照反応（反応２と反応４）のシグナル−ノイズ比（Ｓ／Ｎ）は、反応２の平均テルビウムシグナル値を反応１の平均テルビウムシグナル値で除し、反応４の平均テルビウムシグナル値を反応３の平均テルビウムシグナル値で除すことで決定した。
【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
乳酸塩及び過分極13Ｃ−ピルビン酸塩を含んでなるイメージング剤。
【請求項２】
ほぼ等しい濃度又は等しい濃度の乳酸塩及び過分極13Ｃ−ピルビン酸塩を含む、請求項１記載のイメージング剤。
【請求項３】
乳酸塩が乳酸、乳酸ナトリウム及び乳酸リチウムから選択される、請求項１又は請求項２記載のイメージング剤。
【請求項４】
当該イメージング剤がさらに水性キャリヤーを含む、請求項１乃至請求項３のいずれか１項記載のイメージング剤。
【請求項５】
当該イメージング剤がさらに通常の薬学的に許容されるキャリヤー及び／又は賦形剤及び／又は製剤化補助剤を含む、請求項１乃至請求項４のいずれか１項記載のイメージング剤。
【請求項６】
インビボ13Ｃ−ＭＲイメージング及び／又は13Ｃ−ＭＲ分光法で使用するための、請求項１乃至請求項５のいずれか１項記載のイメージング剤。
【請求項７】
当該イメージング剤がさらに１種以上の非水性溶媒、好ましくはＤＭＳＯ及び／又はメタノールを含む、請求項１乃至請求項４のいずれか１項記載のイメージング剤。
【請求項８】
インビトロ13Ｃ−ＭＲイメージング及び／又は13Ｃ−ＭＲ分光法で使用するための、請求項１乃至請求項４及び請求項７のいずれか１項記載のイメージング剤。
【請求項９】
13Ｃ−ＭＲイメージング及び／又は13Ｃ−ＭＲ分光法を用いて細胞培養物、ヒト又はヒト以外の動物の身体から導かれる試料、或いはエクスビボ組織中における代謝過程のインビトロ研究を行うための、請求項７又は請求項８記載のイメージング剤の使用。
【請求項１０】
13Ｃ−ＭＲイメージング及び／又は13Ｃ−ＭＲ分光法を用いて細胞培養物、ヒト又はヒト以外の動物の身体から導かれる試料、或いはエクスビボ組織中における腫瘍細胞のインビトロ同定を行うための、請求項７又は請求項８記載のイメージング剤の使用。
【請求項１１】
13Ｃ−ＭＲイメージング及び／又は13Ｃ−ＭＲ分光法を用いて細胞培養物、ヒト又はヒト以外の動物の身体から導かれる試料、或いはエクスビボ組織中における細胞死のインビトロ検出を行うための、請求項７又は請求項８記載のイメージング剤の使用。
【請求項１２】
13Ｃ−ピルビン酸又は13Ｃ−ピルビン酸塩の動的核分極によって過分極13Ｃ−ピルビン酸塩を得、前記過分極13Ｃ−ピルビン酸塩の溶液に乳酸塩を添加することを含んでなる、請求項１乃至請求項８のいずれか１項記載のイメージング剤の製造方法。
【請求項１３】
請求項１乃至請求項８のいずれか１項記載のイメージング剤を用いる13Ｃ−ＭＲイメージング法及び／又は13Ｃ−ＭＲ分光法。
【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
空気中への揮発性の液体の継続的な供給と増大した供給の時間についての可能性とを共に提供する方法であって、開口を有する貯蔵器中の液体を提供し、この開口を、貯蔵器内に内部蒸発空間を規定するように０．０５〜０．４ｍｍの厚さの膜により覆い、連続的供給を、内部蒸発空間内で蒸発し、膜を通過する液体により提供し、増大した供給を、液体と接触させ、次にこれから分離した膜中に吸収された液体からの蒸発により提供することを含む、前記方法。
【請求項２】
膜の材料が、ポリエチレン、ポリプロピレン、ポリブテン、ポリスチレン、エチレン／プロピレンコポリマー類、エチレン／へキシレンコポリマー類、エチレン／ブテンコポリマー類、プロピレン／ブテンコポリマー類、エチレン／プロピレン／ブテンコポリマー類、およびエチレンまたはプロピレンとエチレン性不飽和モノカルボン酸とのコポリマー類からなる群から選択され、膜の材料は好ましくは充填されたものである、請求項１に記載の方法。
【請求項３】
膜の材料が、少なくとも３００，０００の分子量（重量平均）、０．１未満の標準荷重メルトインデックスおよび４．０以上の還元粘度を有する８〜１００容量％のポリオレフィン、１〜９２容量％の充填材および１〜４０容量％の可塑剤の均質混合物から本質的になる、請求項２に記載の方法。
【請求項４】
ポリオレフィンが、超高分子量ポリオレフィン、好ましくは超高分子量ポリエチレンである、請求項３に記載の方法。
【請求項５】
空気中への揮発性の液体の継続的な供給と増大した供給の時間についての可能性とを共に提供するように適合された装置であって、該装置が、開口を有する貯蔵器を含み、この開口が、貯蔵器内に内部蒸発空間が規定されるように０．０５〜０．４ｍｍの厚さの膜により覆われており、膜が、これと物理的に接触した際に液体を吸収し、これを空気中に放出することができる、前記装置。
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
容器（２）内部での閉鎖部材などのような複数の物品の多数の処理のための方法であって、前記容器はその中に封入された状態の前記複数の物品の多数の処理を実施するように適合されており、前記方法は、
ａ）前記複数の物品の洗浄及び濯ぎ工程と、
ｂ）前記複数の物品の滅菌工程と、を備え、
前記滅菌工程は下記ｃ）〜ｅ）の工程を備える方法。
ｃ）滅菌処理中に前記複数の物品を本質的に浸水させるように液体を導入する工程、
ｄ）加圧下で前記液体を前記液体が過熱状態である滅菌温度まで加熱する工程、
ｅ）前記容器を貫通してその入口と出口の間で液体流を供与する工程であって、前記複数の物品と前記液体間の密度の相違によって決定される前記容器内での初期状態から、前記複数の物品が前記液体流によって移動するように、前記液体流は、選択された方向と強度を有している、液体流を供与する工程。
【請求項２】
循環路（６）で前記液体を循環させる工程を更に含んでいる、請求項１に記載の方法。
【請求項３】
前記液体から発散する蒸気などのような滅菌ガスによって、液体の表面より上に位置する、液体不在部分に生じる空間を滅菌する工程を更に含んでいる、請求項１または請求項２に記載の方法。
【請求項４】
前記物品の滅菌処理を開始した後で、物品にシリコーン表面処理を施す工程を更に含んでいる、請求項１から請求項３のいずれか１項に記載の方法。
【請求項５】
所定の冷却温度まで前記物品を冷却する工程を更に含んでおり、前記複数の物品は本質的に冷却液中に浸水状態にされる、請求項１から請求項４のいずれか１項に記載の方法。
【請求項６】
前記容器の外へ前記液体を排出する工程と、
更なる排出のために前記容器を減圧する工程と、を更に含んでいる、請求項５に記載の方法。
【請求項７】
冷却処理などの最中に、前記容器内で前記複数の物品を攪拌する目的で前記液体に滅菌ガスを供給する工程を更に含んでいる、請求項１から請求項６のいずれか１項に記載の方法。
【請求項８】
好ましくは薬事的な目的で閉鎖部材などのような複数の物品を滅菌する多数の処理滅菌装置（１）であって、前記装置は、
内部に封入された状態の複数の物品に多数の処理を施すための容器（２）と、
前記容器（２）の内部に液体流を生じさせるようにした液体移動手段（３）と、を備え、
前記多数の処理滅菌装置（１）は、請求項１〜請求項７のいずれか1項記載の方法の工程を実行するように構成されている、多数の処理滅菌装置。
【請求項９】
多数の処理滅菌を施すシステムであって、前記システムは請求項８に記載の多数の処理滅菌装置（１）を含んでおり、
前記多数の処理滅菌装置（１）は、複数の物品を中に封入して処理するようにした容器と、少なくとも１つの処理ステーション（３１）と、梱包処理などのような更に別な処理を行う目的で清浄空間に前記物品を移動させるための移動手段（３２）および移動ステーション（３３）とを備えている、システム。
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
ディスプレイデバイス用途に好適なバックライトであって、前記バックライトが、
少なくとも１つの光源を含む照明デバイスと、
反射層及び実質的均一な屈折率を有する透明層を有し、かつマトリックスアレイ中に配置された複数の光指向性突起を有する後部反射体スタックであって、前記透明層は、前記反射層と前記照明デバイスとの間に、前記複数の光指向性突起が前記反射層とは反対側に向くように配置される、後部反射体スタックとを有し、
前記複数の光指向性突起が、前記照明デバイスのいかなる光源とも位置合わせされていない設定で構成され、配置される、バックライト。
【請求項２】
ディスプレイデバイス用途に好適なバックライトであって、前記バックライトが、
少なくとも１つの光源を有する照明デバイスと、
反射層と結合剤中に配置された複数のビーズを含む透明層とを有する後部反射体スタックであって、前記ビーズが複数の光指向性突起を形成し、かつ前記結合剤が前記ビーズの屈折率に近い屈折率を有し、前記透明層は、前記反射層と前記照明デバイスとの間に、前記複数の光指向性突起が前記反射層とは反対側に向くように配置される、後部反射体スタックとを有し、
前記複数の光指向性突起が、前記照明デバイスのいかなる光源とも位置合わせされていない設定で構成され、配置される、バックライト。
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
プロセッサとメモリとデータ記憶サブシステムとを備え、地図作成アプリケーション上でデータを階層化するコンピューティングシステムであって、
前記コンピューティングシステムの表示装置により、複数の個々のディスプレイマスクを含む前記地図作製アプリケーションを表示するレンダリング構成要素と、
前記複数の個々のディスプレイマスクのうちの１つのディスプレイマスクを前記複数の個々のディスプレイマスクのうちの他のディスプレイマスクに部分的に又は完全に重ね合わせて、前記コンピューティングシステムによって重複部分を形成するオーバーレイ構成要素と、
前記コンピューティングシステムにより、それぞれの重複部分の新たなフィルターを生成する最適化構成要素と、
を含むコンピューティングシステム。
【請求項２】
前記新たなフィルターが、重ね合わされたディスプレイマスクからの重複したレイヤーデータの組の削除、重ね合わされたディスプレイマスクからの重複したレイヤーデータに制限された共通部分、及び、重ね合わされたディスプレイマスクからの全ての特徴的なレイヤーデータの和集合を含む、請求項１に記載のシステム。
【請求項３】
前記最適化構成要素が、前記複数の個々のディスプレイマスクに対して独立に時間設定を別々に適用する、請求項１に記載のシステム。
【請求項４】
少なくとも１つのデータレイヤーを前記複数の個々のディスプレイマスクのそれぞれに割り当てるフィルター構成要素を更に含む、請求項１に記載のシステム。
【請求項５】
前記フィルター構成要素が、クライアントマシン上の記憶媒体内に前記複数の個々のディスプレイマスクのそれぞれを維持する、請求項４に記載のシステム。
【請求項６】
集合演算の関数としてレンダリングされたデータが、別個の追加のディスプレイマスクを生成する、請求項１に記載のシステム。
【請求項７】
少なくとも１つの前記重複部分に適用するためのユーザー定義集合演算を受諾する入力構成要素を更に含む、請求項１に記載のシステム。
【請求項８】
プロセッサとメモリとデータ記憶サブシステムとを備えるコンピューティングシステムを用いて階層化データを表示する、コンピュータで実施される方法であって、
複数の組の階層化データを表示するステップと、
少なくとも２組の部分的に又は完全に重複する階層化データの第１の共通部分を識別するステップと、
少なくとも２組の部分的に又は完全に重複する階層化データの第２の共通部分を識別するステップと、
前記コンピューティングシステムにより、前記第１の共通部分に第１のフィルターを適用するステップと、
前記コンピューティングシステムにより、前記第２の共通部分に、前記第１のフィルターとは異なる第２のフィルターを適用するステップと、
を備える方法。
【請求項９】
階層化アプリケーション上の少なくとも２組の部分的に又は完全に重複する階層化データの前記第１の共通部分と前記第２の共通部分とを表示するステップを更に含む、請求項１０に記載の方法。
【請求項１０】
少なくとも２組の部分的に又は完全に重複する階層化データの前記第１の共通部分と少なくとも２組の部分的に又は完全に重複する階層化データの前記第２の共通部分とを、検索可能なフォーマットで保持するステップを更に含む、請求項８に記載の方法。
【請求項１１】
第１の集合演算と第２の集合演算とのうちの一方がブール関数である、請求項８に記載の方法。
【請求項１２】
第１の集合演算と第２の集合演算とのうちの一方が、ユーザによって定義される、請求項８に記載の方法。
【請求項１３】
プロセッサとメモリとデータ記憶サブシステムとを備えるコンピューティングシステムを用いて地図作製アプリケーションのディスプレイマスクの重複部分を表示する、コンピューターによって実施される方法であって、
前記コンピューティングシステムの表示装置上に複数のディスプレイマスクを表示するステップと、
前記コンピューティングシステムの入力デバイスによって、前記複数のディスプレイマスクのうちの１つのディスプレイマスクを、部分的に又は完全に前記複数のディスプレイマスクのうちの他のディスプレイマスク上にドラッグアンドドロップするステップと、
前記複数のディスプレイマスクのうちの前記１つのディスプレイマスクと前記複数のディスプレイマスクのうちの前記他のディスプレイマスクとの部分的な又は完全な共通部分から生じるデータを含む新たなディスプレイマスクを表示するステップであって、前記データが、前記複数のディスプレイマスクのうちの前記１つのディスプレイマスクと前記複数のディスプレイマスクのうちの前記他のディスプレイマスクとの部分的な又は完全な前記共通部分に対して実行される集合演算に基づいている方法。
【請求項１４】
少なくとも２つのディスプレイマスクが他のディスプレイマスク上に重なる、請求項１３に記載の方法。
【請求項１５】
前記集合演算が、予め定義された順序で前記共通部分の各ディスプレイマスクに対して実行される、請求項１３に記載の方法。